(57)【要約】  【課題】  排水ホースの取り付け時に排水用のエルボが傾斜して接続不良が生じ、接続不良部分から水が漏れることを低減できる食器洗い機を提供する。  【解決手段】  筐体１の底部に下方へ開口された排水口１３を備え、排水口１３の下側にエルボ２０を備え、エルボ２０は一端管部２０２が排水口１３にジョイントホース１８を介して接続され、他端管部２０３が排水ホース１９に接続されている。また、エルボ２０は、他端管部２０３の下部から一端管部２０２の側部にかけて、他端管部２０３の長手方向、エルボ２０の屈曲方向、及び一端管部２０２の長手方向に沿う凸条状のリブ２０１を備える。【選択図】      図２
2006061411.tif 000002
【特許請求の範囲】
【請求項１】
食器が収容される洗浄槽及び該洗浄槽の底部に下方へ開放された排水口を有する筐体と、その一端側の管部が前記排水口に接続されるエルボとを備える食器洗い機において、
前記エルボは、該エルボの他端側の管部の下部に凸部を有することを特徴とする食器洗い機。
【請求項２】
前記凸部は、前記他端側の管部の長手方向に沿う凸条部であることを特徴とする請求項１に記載の食器洗い機。
【請求項３】
前記エルボは、前記一端側と前記他端側とが、前記エルボの屈曲部を中心にして対称の形状を有することを特徴とする請求項１又は２に記載の食器洗い機。
【請求項４】
前記筐体は、前記一端側の管部の傾斜を抑制する抑制部を前記一端側の管部の周面近傍に備えることを特徴とする請求項１乃至３の何れかひとつに記載の食器洗い機。
【請求項５】
前記抑制部は、前記一端側の管部の周面を囲繞する環状又はＣ字状の部材であり、該部材が前記筐体に固定してあることを特徴とする請求項４に記載の食器洗い機。
【請求項６】
その一端側の管部の周面に、その他端側の管部の長手方向に略平行に、しかも前記他端側の管部の開口側とは逆側に突出する凸部を有することを特徴とするエルボ。
【発明の詳細な説明】
【技術分野】
【０００１】
本発明は、排水口の下側に、排水口に接続されるエルボが配置してある食器洗い機、及び該食器洗い機に取り付けられるのに好適なエルボに関する。
【背景技術】
【０００２】
食器洗い機は、洗浄槽内部に食器を収容し、収容した食器を洗浄し、洗浄した食器をすすぐ。また、食器洗い機は、食器を洗浄した又はすすいだ後の排水を外部へ排水する（特許文献１参照）。
【０００３】
図６は、従来の食器洗い機が備える排水口１３近傍の略示正面図である。食器洗い機は筐体１を備え、筐体１は、食器が収容される洗浄槽（各不図示）と、洗浄槽内部に収容した食器を洗浄した又はすすいだ後の排水を筐体１の外部へ排水するための排水口１３とを有し、排水口１３は、洗浄槽の底部右奥側に、下方へ開放されて設けられている。排水用のエルボ３０は、ジョイントホース１８を介して排水口１３に接続されている。
【０００４】
排水口１３から排水された排水は、排水口１３が開口している排水吐出管に接続されたジョイントホース１８、及びジョイントホース１８に一端側の管部（以下、一端管部という）３０１が接続されたエルボ３０を通過して、エルボ３０の他端側の管部（以下、他端管部という）３０２に接続された排水ホース１９へ導通され、排水ホース１９から、外部へ排水される。
【０００５】
排水ホース１９は、一般に、食器洗い機のユーザ宅で、取り付け業者、ユーザ等（以下、作業者という）によって食器洗い機に取り付けられる。図６（ａ）は排水ホース１９が取り付けられていない状態を示し、図６（ｂ）は取り付けられた状態を示している。
【０００６】
筐体１を床面Ｇに載置した場合、図６（ａ）に示すように、ジョイントホース１８の長手方向、及びエルボ３０の一端管部３０１の長手方向は、床面Ｇに対して略垂直に配置される。また、エルボ３０は、他端管部３０２の長手方向が床面Ｇに対して略平行に、しかも他端管部３０２の下部が略全体的に床面Ｇに接触するよう配置される。
【特許文献１】特開２００４−８１８８０号公報
【発明の開示】
【発明が解決しようとする課題】
【０００７】
図６（ａ）に示すように、エルボ３０の他端管部３０２の最下面は床面Ｇと略同一面に位置する。このため、エルボ３０の他端管部３０２に排水ホース１９を取り付ける際、作業者はエルボ３０の他端管部３０２の排水ホース取り付け部分を床面Ｇから持ち上げる必要がある。この結果、特に排水ホース１９の取り付け作業に不慣れな作業者が取り付け作業を行なった場合、図６（ｂ）に示すように、ジョイントホース１８及びエルボ３０が、他端管部３０２の開口が床面Ｇから上方へ離隔するようにして、床面Ｇに対し大きく傾斜することがある。
【０００８】
また、作業者は、排水ホース１９を取り付けた後に、傾斜したジョイントホース１８及びエルボ３０に関し、ジョイントホース１８の長手方向及びエルボ３０の一端管部３０１の長手方向を、床面Ｇに対して略垂直に、また、他端管部３０２の長手方向を床面Ｇに対して略平行に、夫々配置し直すことを忘れがちである。
【０００９】
更に、排水ホース１９を正しく取り付けた場合であっても、例えば食器洗い機の使用中に外力が加えられて、ジョイントホース１８及びエルボ３０が床面Ｇに対して大きく傾斜することがある。
【００１０】
以上のようなことからジョイントホース１８及びエルボ３０が床面Ｇに対して傾斜した場合、ジョイントホース１８が斜め下に引っ張られ、排水口１３とジョイントホース１８との接続不良が生じることがある。このため、排水口１３とジョイントホース１８との接続部分に、接続不良による空隙が生じて、生じた空隙から、排水時に排水が漏れ出すことがあるという問題があった。
【００１１】
本発明は斯かる問題を解決するためになされたものであり、一端側の管部が排水口に接続されるエルボの他端側の管部の下部に凸部を備えることにより、エルボへの排水ホース取り付け時にエルボが持ち上げられて、エルボの一端側の管部が床面に対して傾斜することを抑制できる食器洗い機及びエルボを提供することを目的とする。
【００１２】
本発明の他の目的は、一端側の管部が排水口に接続されるエルボの他端側の管部の下部に、他端側の管部の長手方向に沿う凸条部を備えることにより、エルボの安定性を向上させて、エルボの一端側の管部が床面に対して傾斜することを抑制できる食器洗い機を提供することにある。
【００１３】
本発明の他の目的は、エルボの一端側と他端側とを対称の形状にしてあることにより、エルボの取り付けミスを低減することができる食器洗い機を提供することにある。
【００１４】
本発明の他の目的は、エルボの一端側の管部の傾斜を抑制する抑制部を備えることにより、エルボの一端側の管部が床面に対して傾斜することを抑制できる食器洗い機を提供することにある。
【００１５】
本発明の更に他の目的は、抑制部として、エルボの一端側の管部の周面を囲繞する環状又はＣ字状の部材を筐体に固定して備えることにより、エルボの一端側の管部を筐体に固定して、エルボの一端側の管部が床面に対して傾斜することを抑制できる食器洗い機を提供することにある。
【課題を解決するための手段】
【００１６】
本発明に係る食器洗い機は、食器が収容される洗浄槽及び該洗浄槽の底部に下方へ開放された排水口を有する筐体と、その一端側の管部が前記排水口に接続されるエルボとを備える食器洗い機において、前記エルボは、該エルボの他端側の管部の下部に凸部を有することを特徴とする。
【００１７】
本発明に係る食器洗い機は、前記凸部は、前記他端側の管部の長手方向に沿う凸条部であることを特徴とする。
【００１８】
本発明に係る食器洗い機は、前記エルボは、前記一端側と前記他端側とが、前記エルボの屈曲部を中心にして対称の形状を有することを特徴とする。
【００１９】
本発明に係る食器洗い機は、前記筐体は、前記一端側の管部の傾斜を抑制する抑制部を前記一端側の管部の周面近傍に備えることを特徴とする。
【００２０】
本発明に係る食器洗い機は、前記抑制部は、前記一端側の管部の周面を囲繞する環状又はＣ字状の部材であり、該部材が前記筐体に固定してあることを特徴とする。
【００２１】
本発明に係るエルボは、その一端側の管部の周面に、その他端側の管部の長手方向に略平行に、しかも前記他端側の管部の開口側とは逆側に突出する凸部を有することを特徴とする。
【００２２】
本発明にあっては、食器が収容される洗浄槽の底部に下方へ開放された排水口が設けられ、エルボの一端側の管部が排水口に接続される。このエルボは、他端側の管部の下部に凸部を有するため、筐体が床面に載置された場合、床面とエルボの他端側の管部の排水ホース取り付け部分との間に、凸部が介在することによる空隙が生じる。このため、エルボの他端側の管部に排水ホースを取り付ける際、作業者は他端側の管部の排水ホース取り付け部分を床面から持ち上げる必要がない。なお、エルボの一端側の管部は、排水口に直接的に接続されても、ジョイントホースを介して接続されても良い。
【００２３】
本発明にあっては、エルボの他端側の管部の下部に凸条部を有するため、筐体が床面に載置された場合、床面とエルボの他端側の管部の排水ホース取り付け部分との間に、凸条部が介在することによる空隙が生じる。また、凸条部は、他端側の管部の長手方向に沿うため、凸条部の下部、ひいてはエルボの下部が、略全体的に床面に接触する。
【００２４】
本発明にあっては、一端側と他端側とが、屈曲部を中心に対称の形状を有するエルボを備える。つまり、一端側の管部及び他端側の管部のサイズと形状とが同一であり、また、一端側の管部にも他端側の管部にも同一形状で同一サイズの凸部又は凸条部が同一位置に配置してある。このためエルボは、一端側の管部及び他端側の管部の内の両方が、例えば排水ホースと接続可能となる。
【００２５】
本発明にあっては、筐体に抑制部を備える。抑制部は、エルボの一端側の管部の周面近傍に配され、一端側の管部の傾斜を抑制する。このような抑制部は、例えばエルボの一端側の管部の周面を保持して、筐体が床面に載置された場合にエルボの一端側の管部が床面に対して略垂直に配されるように、エルボの一端側の管部を保持する保持具である。
【００２６】
本発明にあっては、一端側の管部の周面を囲繞する環状又はＣ字状の部材が筐体に固定され、この部材が抑制部として用いられる。このような抑制部は、例えばエルボの一端側の管部の周面を環状又はＣ字状の部材で保持して、筐体が床面に載置された場合にエルボの一端側の管部が床面に対して略垂直に配されるように、エルボの一端側の管部を筐体に固定する。
【発明の効果】
【００２７】
本発明の食器洗い機及びエルボによれば、筐体が床面に載置された場合、床面とエルボの他端側の管部の排水ホース取り付け部分との間に、他端側の管部の下部に設けられた凸部が介在することによる空隙が生じる。このため、作業者はエルボの他端側の管部の排水ホース取り付け部分を床面から持ち上げることなく、他端側の管部に排水ホースを取り付けることができる。この結果、排水ホースの取り付け作業に不慣れな作業者が取り付け作業を行なったときでも、エルボが床面に対して傾斜することを抑制することができる。
【００２８】
また、エルボの床面に対する傾斜が抑制されるため、エルボと排水口との接続不良が生じることを低減することができる。この結果、エルボと排水口との接続部分に、接続不良による空隙が生じて、生じた空隙から排水が漏れ出すことを低減することができる。
【００２９】
更に、例えば、他端側の管部の排水ホース取り付け部分以外のエルボの外径を増加させて排水ホース取り付け部分を床面から離隔させる場合に比べて、エルボのサイズを小型化することができ、このためエルボを形成する材料の使用量を低減することができる。
【００３０】
更にまた、本発明の食器洗い機によれば、筐体が床面に載置された場合、床面とエルボの他端側の管部の排水ホース取り付け部分との間に、他端側の管部の下部に設けられた凸条部が介在することによる空隙が生じる。このため、作業者は、エルボの他端側の管部の排水ホース取り付け部分を床面から持ち上げることなく他端側の管部に排水ホースを取り付けることができる。
【００３１】
また、凸条部は、他端側の管部の長手方向に沿うため、凸条部の下部、ひいてはエルボの下部が、略全体的に床面に接触する。この結果、エルボの安定性を向上させることができる。
【００３２】
即ち、凸条部を有するエルボは、排水ホース取り付け時に床面から持ち上げられることがなく、更に、安定性が高いため、エルボが床面に対して傾斜することを抑制することができ、排水口とエルボとの接続不良が生じることを低減することができる。このため、排水口とエルボとの接続部分に、接続不良による空隙が生じて、生じた空隙から排水が漏れ出すことを低減することができる。
【００３３】
更にまた、本発明の食器洗い機によれば、エルボの一端側と他端側とが同一の形状及びサイズを有するため、一端側の管部及び他端側の管部は、排水ホースにも、排水口又はジョイントホースにも取り付けることができる。このため、エルボを取り付ける場合、作業者は、排水ホースに取り付けるための端部と排水口又はジョイントホースに取り付けるための端部とを区別する必要がなく、この結果、排水口、排水ホース等に対するエルボの取り付けミスをなくし得る。
【００３４】
また、エルボが屈曲部を中心に対称の形状を有するため、エルボの美観を向上させることができる。
【００３５】
更に、本発明の食器洗い機によれば、エルボの一端側の管部の周面近傍に配され、一端側の管部の傾斜を抑制する抑制部を筐体に備える。抑制部は、例えば、筐体に固定してあり、一端側の管部の周面を囲繞する環状又はＣ字状の部材である。このため、排水ホースの取り付け時、食器洗い機の使用中等に、エルボが床面に対して傾斜することを抑制できる。この結果、エルボと排水口との接続不良が生じることを低減することができ、エルボと排水口との接続部分に、接続不良による空隙が生じて、生じた空隙から排水が漏れ出すことを低減することができる等、本発明は優れた効果を奏する。
【発明を実施するための最良の形態】
【００３６】
以下、本発明を、その実施の形態を示す図面に基づいて詳述する。
【００３７】
実施の形態  １．
図１は、本発明の実施の形態１に係る食器洗い機１００の構成を模式的に示す正面図である。食器洗い機１００は、食器洗い機能のみならず食器乾燥機能も有する食器洗い乾燥機である。図１では、食器洗い機１００が備える筐体（キャビネット）１前部のドア、壁部等を図示しておらず、筐体１内部の構造を示している。
【００３８】
筐体１は直方体状であり、略水平な床面Ｇに載置される。筐体１は、筐体１内の大半を占める洗浄槽２を有し、洗浄槽２には、食器籠３に載置された食器４５，４５，…が収容される。食器籠３は、筐体１の図示しないドアを開けた状態でその外部へスライド可能に、洗浄槽２内に収容されている。
【００３９】
洗浄槽２の底部には、モータ８のモータ軸に接続されたポンプ７が配設されている。ポンプ７は、例えば正逆回転式のモータ８を用い、そのポンプケーシングには、吸込口が1ヶ所と吐出口が２ヶ所形成されている。吐出口は、夫々洗浄吐出管９と排水吐出管１０とに連結されており、２ヶ所の吐出口には、図示しない切換弁が配設されており、何れか一方の吐出口のみが開く構造である。
【００４０】
ポンプ７が正回転する場合、吸込口に連結されている吸込管６から吸込んだ水が、ポンプインペラの回転によるケーシング内流れの動圧で、切換弁に排水吐出口を閉鎖させ、洗浄吐出管９へと圧送される。更に詳細には、ポンプ７が正回転することよって、洗浄槽２内の底部に溜められた洗浄水が、残滓フィルタ５で濾過され、吸込管６から洗浄吐出管９を経て、回転ノズル１１へと圧送され、回転ノズル１１の複数の口から、その上方に収容された食器４５，４５，…に噴射される。
【００４１】
ポンプ７が逆回転する場合、洗浄槽２内の水が、切換弁に洗浄吐出口を閉鎖させ、排水吐出管１０へと圧送される。更に詳細には、ポンプ７が逆回転することによって、洗浄槽２内の底部に溜まった水が、吸込管６から排水吐出管１０経由で排水口１３から排水され、更に、抑制部２１に保持されたジョイントホース１８と、排水用のエルボ２０及び排水ホース１９とを経て、外部へ排水される。排水口１３、抑制部２１、ジョイントホース１８、エルボ２０及び排水ホース１９に関しては、後に詳述する。
【００４２】
ヒータ４は、洗浄時及びすすぎ時には洗浄水を加熱し、乾燥時には洗浄槽２内の空気を加熱乾燥する。このようなヒータ４は、洗浄槽２の底部付近の洗浄水位に水が溜まった状態で水に浸漬する位置に配設されている。
【００４３】
筐体１の底部には、洗浄からすすぎを経て乾燥に至る一連のシーケンスを、各種センサを用いて実行、制御するための制御回路１２が配設されている。
【００４４】
水道接続部１４は、筐体１の底部右奥側の排水口１３に近設され、また、図示しないホースを介して水道蛇口に接続され、給水管１６及び水道水給水口１７を介して、水道水を洗浄槽２内へ供給する。給水弁１５は、制御回路１２によって開閉が制御される。
【００４５】
以上のような食器洗い機１００を運転する際、作業者は、食器籠３に食器４５，４５，…をセットし、洗浄槽２内に洗剤を投入した後、図示しないスタートボタンを押すことによって、運転を開始させる。運転が開始されると、まず、制御回路１２が給水弁１５を開状態にする。この場合、水道接続部１４から給水管１６及び水道水給水口１７を経由して、洗浄槽２の下部に水道水が供給され、洗浄槽２の底部に設けられたヒータ４が浸漬する以上の水位まで溜められる。
【００４６】
水道水が、食器４５，４５，…を洗浄可能な水位まで溜められ、図示しない水位センサがその水位を検知すると、筐体１底部に設けられた制御回路１２は、給水弁１５を閉状態にして、給水を停止させ、以後の一連の動作を自動的に実行する。
【００４７】
制御回路１２は、給水停止と同時に、洗浄過程に進み、筐体１底部のモータ８に正回転を開始させ、そのモータ軸に接続されたポンプ７のインペラの回転を開始させる。これにより、ポンプ７は、洗浄槽２の底部から吸込管６を通じて、水を洗浄吐出管９へと圧送する。洗浄吐出管９へ圧送された水は、更にヒータ４の上方に２個設けられた回転ノズル１１へ圧送され、回転ノズル１１の複数の口から、その上方に載置された食器４５，４５，…へ勢いよく噴射され、食器４５，４５，…を洗浄する。
【００４８】
食器４５，４５，…を洗浄した水は、洗浄槽２の底部に溜まり、以後、上述したように、洗浄槽２の底部→吸込管６→洗浄吐出管９→回転ノズル１１→噴射→洗浄槽２の底部、の経路で循環を繰り返す。このとき、必要に応じてヒータ４が通電され、循環する水が加熱される。以上により、回転ノズル１１から噴射される洗浄水の物理的力と、洗浄水の高温と、洗剤の作用とにより、汚れが食器４５，４５，…から分離、溶解、分解され、食器４５，４５，…が洗浄されて行く。
【００４９】
制御回路１２は、洗浄水が設定温度に到達するか、設定時間が経過すると、上述した洗浄過程を終了する。次いで、モータ８を逆回転させてポンプ７により、洗浄槽２内の汚れた洗浄水を、排水吐出管１０→排水口１３の経路で洗浄槽２の外部へ排水し、更に、ジョイントホース１８→エルボ２０→排水ホース１９の経路で、外部の排水口へ排水する。
【００５０】
制御回路１２は、次に、給水弁１５を開状態にして、新たな水道水を供給し、すすぎ過程へと進む。すすぎ過程では、ポンプ７を正回転させて、上述した洗浄過程と同様に、水を循環させながら、ノズル１１から水を噴射させて、食器４５，４５，…及び洗浄槽２に残っている汚れ、洗剤等をすすいだ後、再び、ポンプ７を逆回転させて排水する過程を数回繰り返す。このとき、制御回路１２は、最終のすすぎ過程では、ヒータ４に通電して、循環している水を加熱し、高温水ですすぐ。最終のすすぎ過程の排水を実行して、全すすぎ過程が終了すると、図示しない送風ファンの運転を開始させて、乾燥過程に進む。
【００５１】
制御回路１２は、乾燥過程では、洗浄槽２内へ外部から送風ファンにより送風し、筐体１のドア付近に開口した排気口から排気させると共に、ヒータ４に断続的に通電して、食器４５，４５，…及び洗浄槽２内部を乾燥させる。任意時間の乾燥運転が終了すると、送風ファンの運転及びヒータ４の通電を停止し、全過程を終了させる。
【００５２】
図２は、食器洗い機１００が備える排水口１３近傍の構成を示す拡大正面図である。また、図３は、食器洗い機１００が備える抑制部２１の構成を示しており、図３（ａ）は平面図であり、図３（ｂ）は図３（ａ）におけるIII −III 線の断面図である。更に、図４は、食器洗い機１００が備えるエルボ２０の構成を示しており、図４（ａ）は側面図であり、図４（ｂ）は図４（ａ）におけるIV−IV線の断面図である。
【００５３】
図２に示すように、筐体１の底部右側には、筐体１の内部に向かって凹む凹部が設けられ、凹部の上面である底面１ａは、筐体１が床面Ｇに載置される場合の筐体１の載置面（例えば筐体１の脚部の下面）に対して略平行であり、凹部の側面１ｂは載置面に対して略垂直である。つまり、底面１ａは、筐体１が床面Ｇに載置された場合の床面Ｇに対して略平行であり、側面１ｂは床面Ｇに対して略垂直である。
【００５４】
筐体１は、洗浄槽２の底部、具体的には筐体１の底部右奥側に下方へ開放された排水口１３を有する。更に具体的には、排水吐出管１０が、筐体１内部における洗浄槽２の下方に配置され、載置面に対して略垂直に、筐体１の底面１ａから外部へ突設されている。排水口１３は、筐体１外部に露出した排水吐出管１０の開口部である。エルボ２０は、排水口１３の下側に配され、エルボ２０の一端管部（一端側の管部）２０２が、ジョイントホース１８を介して排水口１３（更に詳細には、排水口１３が開口している排水吐出管１０）に接続される。ここで、エルボ２０は、エルボ２０の他端管部（他端側の管部）２０３の開口側を右側に向けて配置される。
【００５５】
排水口１３には、ジョイントホース１８の一端が接続される。ジョイントホース１８はポリ塩化ビニル製の柔軟なホースである。排水吐出管１０はポリプロピレン製の硬質の管であり、排水口１３近傍の周面には、ジョイントホース１８と排水口１３とを接続する場合にジョイントホース１８を排水吐出管１０に固定してジョイントホース１８の脱落を防止するための図示しない抜け止めが形成してある。排水口１３に接続されたジョイントホース１８は、自重によって自然と排水吐出管１０から真下に向けて載置面に対し略垂直に垂下する。
【００５６】
ジョイントホース１８の他端には、エルボ２０の一端管部２０２が接続される。また、エルボ２０の他端管部２０３には、排水ホース１９の一端が接続され、排水ホース１９の他端が、図示しない外部の排水口近傍に配置される。このような排水ホース１９は、ジョイントホース１８と同一のポリ塩化ビニル製ホースからなる。なお、排水ホース１９は、ジョイントホース１８とは異なる合成樹脂製のホースでも良い。
【００５７】
エルボ２０はポリプロピレン製であり、耐熱性を有する硬質のＬ字管である本体２００と、本体２００の屈曲に沿って一体形成されたリブ２０１とで構成されており、本体２００の一端側及び他端側が一端管部２０２及び他端管部２０３である。エルボ２０は、屈曲部を中心として一端管部２０２側と他端管部２０３側とが対称の形状を有する。つまり、一端管部２０２及び他端管部２０３が略同一のサイズ及び形状を有し、更に、リブ２０１の一端管部２０２側と他端管部２０３側とが略同一のサイズ及び形状を有する。
【００５８】
図４に示すように、一端管部２０２の周面には、抜け止め２０２ａ，２０２ａ、及び突出円板２０２ｂが、この順に、一端管部２０２の開口側から本体２００の屈曲部側へ並設してある。各抜け止め２０２ａは、一端管部２０２の中心軸を中心として、一端管部２０２の開口側から本体２００の屈曲部側へ向けて徐々に直径が増加するテーパ状の突出部である。各抜け止め２０２ａの最大直径は、ジョイントホース１８の内径及び排水ホース１９の内径よりも大きい。突出円板２０２ｂは、一端管部２０２の中心軸を中心とし、各抜け止め２０２ａの最大半径にジョイントホース１８の厚み又は排水ホース１９の厚みを加えた長さに略等しい長さの半径を有する円板である。
【００５９】
他端管部２０３の周面には、抜け止め２０３ａ，２０３ａ及び突出円板２０３ｂが並設してある。一端管部２０２と他端管部２０３とが対称の形状を有するため、抜け止め２０３ａ，２０３ａ及び突出円板２０３ｂ夫々の形状並びに配置は、抜け止め２０２ａ，２０２ａ及び突出円板２０２ｂ夫々の形状並びに配置と略同様である。このため、抜け止め２０３ａ，２０３ａ及び突出円板２０３ｂの詳述は省略する。
【００６０】
抜け止め２０２ａ，２０２ａ及び抜け止め２０３ａ，２０３ａは、エルボ２０とジョイントホース１８及び排水ホース１９とを接続する場合にジョイントホース１８及び排水ホース１９をエルボ２０に固定してジョイントホース１８及び排水ホース１９の脱離を防止するために設けられている。本実施の形態においては、一端管部２０２にジョイントホース１８を、他端管部２０３に排水ホース１９を夫々取り付ける場合を例示している。しかしながら、一端管部２０２及び他端管部２０３の形状及びサイズは略同一であり、また、ジョイントホース１８及び排水ホース１９は同一のホースを用いてなるため、ジョイントホース１８及び排水ホース１９は、一端管部２０２及び他端管部２０３の何れにも取り付けが可能である。
【００６１】
ジョイントホース１８の他端に一端管部２０２が接続されている場合、エルボ２０は、他端管部２０３の下部に凸部としてのリブ２０１を有し、このリブ２０１は、他端管部２０３の長手方向に沿う板状の凸条部である。つまり、他端管部２０３に形成されているリブ２０１は、他端管部２０３の周面に、一端管部２０２の長手方向に略平行に、しかも一端管部２０２の開口側とは逆側に突出している。リブ２０１の他端管部２０３の周面からの突出高さは、突出円板２０３ｂの他端管部２０３の周面からの突出高さに等しい。更に、リブ２０１の底面は略水平であり、床面Ｇ上に略密着配置される。
【００６２】
一端管部２０２と他端管部２０３とは対称の形状を有するため、一端管部２０２に形成されているリブ２０１は、一端管部２０２の周面に、他端管部２０３の長手方向に略平行に、しかも他端管部２０３の開口側とは逆側に突出している。また、リブ２０１の一端管部２０２の周面からの突出高さは、突出円板２０２ｂの一端管部２０２の周面からの突出高さに等しい。仮に、ジョイントホース１８の他端に他端管部２０３が接続されている場合、エルボ２０は、一端管部２０２の下部に凸部としてのリブ２０１を有し、このリブ２０１は、一端管部２０２の長手方向に沿う板状の凸条部である。更に、リブ２０１の底面は略水平であり、床面Ｇ上に略密着配置される。
【００６３】
このようなリブ２０１は、一端管部２０２から本体２００の屈曲部の頂部を経て他端管部２０３まで、一端管部２０２の長手方向、本体２００の屈曲方向、他端管部２０３の長手方向に沿って設けられているＬ字状の板部である。
【００６４】
なお、本実施の形態においては一端管部２０２に設けられた凸条部と他端管部２０３に設けられた凸条部とを一体に設けてリブ２０１を構成しているが、一端管部２０２の凸条部及び他端管部２０３の凸条部を別体に設けても良い。
【００６５】
図３に示すように、筐体１底部の側面１ｂには、矩形環状の板部材を用いてなる抑制部２１が、側面１ｂに略垂直に、即ち底面１ａ及び載置面に略平行に突設してある。排水口１３の直下の抑制部２１中央部には、円形の孔部２１ａが形成されており、孔部２１ａの直径はジョイントホース１８の外径よりも僅かに大きい。抑制部２１の孔部２１ａには、排水口１３から載置面に対して略垂直に垂下するジョイントホース１８が挿通され、排水口１３を中心とする鉛直軸に対するジョイントホース１８の傾斜、ひいてはジョイントホース１８に接続されているエルボ２０の一端管部２０２の鉛直軸に対する傾斜を抑制する。
【００６６】
即ち、抑制部２１は、一端管部２０２の周面近傍に備えられ、筐体１が床面Ｇに載置された場合のジョイントホース１８の床面Ｇに対する傾斜、ひいてはジョイントホース１８に接続されているエルボ２０の一端管部２０２の床面Ｇに対する傾斜を抑制する。このような抑制部２１は、他端管部２０３の開口が床面Ｇから上方へ離隔するような本体２００の屈曲部を中心とする傾斜のみならず、他端管部２０３の長手方向の交差方向への傾斜、即ち、他端管部２０３を回転軸とする傾斜も抑制する。
【００６７】
なお、抑制部２１の形状及び配置は、これに限るものではない。例えば、棒状部材を介して筐体１に固定してあり、Ｃ字状に湾曲された帯状部材を抑制部２１としても良い。この場合、帯状部材の湾曲内部にジョイントホース１８が挿通される。
【００６８】
排水ホース１９は、一般に食器洗い機１００のユーザ宅でエルボ２０に取り付けられるが、ジョイントホース１８及びエルボ２０は、ユーザ宅で取り付けられても良く、食器洗い機１００の製造工程で取り付けられても良い。以下では、工場出荷時にジョイントホース１８及びエルボ２０の取り付けが完了しており、ユーザ宅では排水ホース１９のみが取り付けられる場合を例示する。
【００６９】
ジョイントホース１８及びエルボ２０を食器洗い機１００にセットする場合、食器洗い機１００のメーカは、例えば、ポリ塩化ビニル製のホースを切断して、夫々異なる適宜の長さを有する２本のホースを準備し、短い方をジョイントホース１８、長い方を排水ホース１９として用いる。
【００７０】
ここで、ジョイントホース１８の長さは、ジョイントホース１８が排水口１３から床面Ｇに対して略垂直に垂下された場合、ジョイントホース１８に接続されたエルボ２０のリブ２０１の下面が床面Ｇに略一致するために必要十分な長さである。このため、ジョイントホース１８が長すぎてジョイントホース１８が弛むことがない。また、ジョイントホース１８が短すぎてジョイントホース１８にエルボ２０の重量が加えられることもない。
【００７１】
長すぎるジョイントホース１８を用い、このためジョイントホース１８が弛む場合、ジョイントホース１８となるポリ塩化ビニル製のホースが余分に消費され、また、ジョイントホース１８が弛んで傾斜し、更に、ジョイントホース１８の弛みに排水が残留し、更にまた、弛んで配置されたジョイントホース１８によって食器洗い機１００の美観が悪化する等の不具合が生じる。また、短すぎるジョイントホース１８にエルボ２０の重量が加えられる場合、ジョイントホース１８と排水口１３との接続不良が起こる、又はジョイントホース１８が排水吐出管１０から抜け落ちる等の不具合が生じる。つまり、必要十分な長さのジョイントホース１８は、これらの不具合が生じることを抑制する。
【００７２】
食器洗い機１００のメーカは、まず、エルボ２０の一端管部２０２を、ジョイントホース１８の一端内部に、ジョイントホース１８の端面が突出円板２０２ｂに当接するまで押し込んで、ジョイントホース１８にエルボ２０を取り付けることによって、ジョイントホース１８とエルボ２０とを接続する。この場合、ジョイントホース１８の柔軟性によって、ジョイントホース１８の一端の直径が抜け止め２０２ａ，２０２ａのテーパ面に沿って容易に押し広げられ、また、各抜け止め２０２ａがジョイントホース１８の内壁に食い込む。
【００７３】
次に、メーカは、ジョイントホース１８の他端、つまりジョイントホース１８のエルボ２０が接続されていない端部を、抑制部２1の孔部２１ａに下側から挿通させ、次いで、底面１ａから突出している排水吐出管１０に取り付けることによって、ジョイントホース１８と排水口１３とを接続する。
【００７４】
更に、ユーザ宅では、排水ホース１９を取り付ける作業者が、ジョイントホース１８及びエルボ２０が取り付けられた筐体１を略水平な床面Ｇに載置する。筐体１が床面Ｇに載置された場合、排水口１３に接続されたジョイントホース１８は、自重によって自然と排水吐出管１０から床面Ｇに対し略垂直に垂下し、また、ジョイントホース１８が適宜の長さを有するため、エルボ２０のリブ２０１の下面が床面Ｇに略全面的に接触する。ここで、抑制部２１がジョイントホース１８の傾斜を抑制することによって、また、エルボ２０のリブ２０１の下面が床面Ｇに略一致することによって、ジョイントホース１８の床面Ｇに対する傾斜は最小限に抑えられる。
【００７５】
更に、エルボ２０の他端管部２０３と床面Ｇとの間にリブ２０１が介在するため、他端管部２０３の排水ホース１９を取り付ける部分の周面と床面Ｇとの間に、更に詳細には抜け止め２０３ａ，２０３ａと床面Ｇとの間に、排水ホース１９の厚みに略等しい高さを有する空隙が生じる。
【００７６】
最後に、作業者は、エルボ２０の他端管部２０３を、排水ホース１９内部に、排水ホース１９の端面が突出円板２０３ｂに当接するまで押し込んで、排水ホース１９にエルボ２０を取り付けることによって、排水ホース１９とエルボ２０とを接続する。この場合、排水ホース１９の柔軟性によって、排水ホース１９の一端の直径が抜け止め２０３ａ，２０３ａのテーパ面に沿って容易に押し広げられ、また、各抜け止め２０３ａが排水ホース１９の内壁に食い込む。
【００７７】
ここで、エルボ２０の他端管部２０３の最下面と床面Ｇとの間に空隙が生じているため、他端管部２０３に排水ホース１９を取り付ける際、作業者は他端管部２０３の排水ホース取り付け部分を床面Ｇから持ち上げる必要がない。この結果、特に排水ホース１９の取り付け作業に不慣れな作業者が取り付け作業を行なった場合でも、ジョイントホース１８及びエルボ２０が床面Ｇに対して大きく傾斜することが防止される。また、作業者が他端管部２０３を床面Ｇから持ち上げた場合でも、抑制部２１によってジョイントホース１８の傾斜が抑制されるため、ジョイントホース１８及びエルボ２０が床面Ｇに対して大きく傾斜することが防止される。
【００７８】
つまり、取り付け作業に不慣れな作業者が排水ホース１９を取り付けた場合でも、ジョイントホース１８の長手方向、及びエルボ２０の一端管部２０２の長手方向が、床面Ｇに対して略垂直に、また、他端管部２０３の長手方向が床面Ｇに対して略平行に、夫々配置される。
【００７９】
更に、排水ホース１９の取り付け後、例えば食器洗い機１００の使用中に外力が加えられた場合でも、抑制部２１によってジョイントホース１８の傾斜が抑制されるため、ジョイントホース１８及びエルボ２０が床面Ｇに対して大きく傾斜することが防止される。
【００８０】
以上のようなことから、ジョイントホース１８及びエルボ２０が床面Ｇに対して傾斜することによる排水口１３とジョイントホース１８との接続不良の発生が低減される。このため、排水口１３とジョイントホース１８との接続部分に、接続不良による空隙が生じて、生じた空隙から排水が漏れ出すことが抑制される。
【００８１】
なお、本実施の形態のようにエルボ２０とジョイントホース１８とを用いる構成ではなく、排水用のエルボを直接的に排水口１３に接続する構成でも良い。ただし、エルボの少なくとも一端側の管部の長さは筐体１のサイズに対応する必要があるため、異なる種類の食器洗い機１００に同一のエルボを使用することができない場合がある。一方、本実施の形態のようにエルボ２０とジョイントホース１８とを用いる構成では、ジョイントホース１８の長さを筐体１のサイズに対応させることによって、異なる種類の食器洗い機１００に同一のエルボ２０を使用することができる。
【００８２】
また、リブ２０１は板状であるため、エルボ２００が過剰に大型化することが防止され、このためエルボ２０を製造するための合成樹脂材料の使用量が低減される。
【００８３】
更に、リブ２０１を設けず、例えば突設円板２０３ｂを他端管部２０３下部の凸部として用いても良い。この場合も、他端管部２０３の排水ホース１８を取り付ける部分と床面Ｇとの間に空隙を設けることができる。ただし、突設円板２０３ｂが他端管部２０３と床面Ｇとの間に介在することによって、エルボ２０の姿勢が不安定になることがある。つまり、板状の凸条部であるリブ２０１によって、エルボ２０の安定性が向上されている。更にまた、凸条部の代わりに、長手方向に並置された複数の凸部を他端管部２０３に設けても良い。
【００８４】
実施の形態  ２．
図５は、本発明の実施の形態２に係る食器洗い機１００が備えるエルボ２０の構成を示しており、図５（ａ）は側面図であり、図５（ｂ）は図５（ａ）におけるＶ−Ｖ線の断面図である。本実施の形態におけるエルボ２０は、実施の形態１におけるエルボ２０と略同様の構成であるが、リブ２０１に略直交して、一端管部２０２の長手方向に略平行な補強板２０４が、リブ２０１に一体形成されている。補強板２０４の最下面は、他端管部２０３に設けられているリブ２０１の最下面と同一面に配置してある。つまり、筐体１が床面Ｇに載置された場合、補強板２０４の最下面は、床面Ｇと略同一面に位置する。その他、実施の形態１に対応する部分には同一符号を付してそれらの説明を省略する。
【００８５】
補強板２０４はリブ２０１の強度を補い、また、エルボ２０の一端管部２０２が、他端管部２０３の長手方向の交差方向に傾斜すること、即ち他端管部２０３を回転軸とする傾斜を更に抑制する。なお、一端管部２０２の長手方向に略平行な補強板２０４のみならず、他端管部２０３の長手方向に略平行な補強板も備えて良い。この場合、エルボ２０の一端管部２０２側と他端管部２０３側とが対称の形状を有する。
【００８６】
本実施の形態１，２においては、エルボ２０を、乾燥機能を有する食器洗い機１００に適用した場合を例示しているが、これに限らず、乾燥機能を持たない食器洗い機、食器乾燥機等に適用しても良い。また、本発明のエルボは、排水用に限らず、例えば給水用に用いても良い。
【図面の簡単な説明】
【００８７】
【図１】本発明の実施の形態１に係る食器洗い機の構成を模式的に示す正面図である。
【図２】本発明の実施の形態１に係る食器洗い機が備える排水口近傍の構成を示す拡大正面図である。
【図３】本発明の実施の形態１に係る食器洗い機が備える抑制部の構成を示す平面図及び断面図である。
【図４】本発明の実施の形態１に係る食器洗い機が備えるエルボの構成を示す側面図及び断面図である。
【図５】本発明の実施の形態２に係る食器洗い機が備えるエルボの構成を示す側面図及び断面図である。
【図６】従来の食器洗い機が備える排水口近傍の略示正面図である。
【符号の説明】
【００８８】
１００  食器洗い機
１  筐体
２  洗浄槽
１３  排水口
２０  エルボ
２０１  リブ（凸部，凸条部）
２０２  一端管部（一端側の管部）
２０３  他端管部（他端側の管部）
２１  抑制部
４５  食器
【図１】
2006061411.tif 000003
【図２】
2006061411.tif 000004
【図３】
2006061411.tif 000005
【図４】
2006061411.tif 000006
【図５】
2006061411.tif 000007
【図６】
2006061411.tif 000008